Podtech/llm-jp-corpus-v4-ja_patent huggingface dataset:
(57)【要約】【課題】熱交換器における熱交換の効率を高めることで、大型の熱交換器を用いることなく、既存の熱交換器を用いて、より短時間でお湯を供給することができる湯沸かし装置を提供すること。【解決手段】本考案では、水供給源（２）に吸水管（３）を接続するとともに、吸水管（３）に熱交換器（４）を装着して、水供給源（２）から供給された水を沸騰させてお湯を供給する湯沸かし装置（１）において、空気圧縮機（５）に接続した吸気管（６）を熱交換器（４）よりも上流側の吸水管（３）に混合器（８）を介して接続し、吸水管（３）の内部の水に圧縮空気を吸入した状態で熱交換器（４）で加熱することにした。【選択図】図１
0003165588.tif 000002
【実用新案登録請求の範囲】
【請求項１】
水供給源に吸水管を接続するとともに、吸水管に熱交換器を装着して、水供給源から供給された水を沸騰させてお湯を供給する湯沸かし装置において、
空気圧縮機に接続した吸気管を熱交換器よりも上流側の吸水管に混合器を介して接続し、吸水管の内部の水に圧縮空気を吸入した状態で熱交換器で加熱することを特徴とする湯沸かし装置。
【請求項２】
水供給源に吸水管を接続するとともに、吸水管に熱交換器を装着して、水供給源から供給された水を沸騰させてお湯を供給する既存の湯沸かし器と、
既存の湯沸かし器の熱交換器よりも上流側の吸水管に設けた混合器と、
混合気に吸気管を介して接続した空気圧縮機と、
からなり、吸水管の内部の水に圧縮空気を吸入した状態で熱交換器で加熱するように構成したことを特徴とする湯沸かし装置。
【考案の詳細な説明】
【技術分野】
【０００１】
本考案は、水供給源に吸水管を接続するとともに、吸水管に熱交換器を装着して、水供給源から供給された水を沸騰させてお湯を供給する湯沸かし装置に関するものである。
【背景技術】
【０００２】
従来の湯沸かし器は、水供給源となる水道管に吸水管を接続するとともに、吸水管に熱交換器を装着した構成となっている。
【０００３】
この従来の湯沸かし器では、水道管から供給された水を熱交換器で沸騰させてお湯を供給するようにしている。
【先行技術文献】
【特許文献】
【０００４】
【特許文献１】特開２００９−２８６７２号公報
【考案の概要】
【考案が解決しようとする課題】
【０００５】
ところが、上記従来の湯沸かし器では、吸水管を通過する水を熱交換器で発生した熱で加熱する構成となっていたために、熱交換器における熱交換の効率が低く、大型の熱交換器を用いなければ、短時間で高温のお湯を供給することができなかった。
【０００６】
そこで、本考案者は、熱交換器における熱交換の効率を高めることで、大型の熱交換器を用いることなく、既存の熱交換器を用いて、より短時間でお湯を供給することができる本湯沸かし装置を考案した。
【課題を解決するための手段】
【０００７】
すなわち、請求項１に係る本考案では、水供給源に吸水管を接続するとともに、吸水管に熱交換器を装着して、水供給源から供給された水を沸騰させてお湯を供給する湯沸かし装置において、空気圧縮機に接続した吸気管を熱交換器よりも上流側の吸水管に混合器を介して接続し、吸水管の内部の水に圧縮空気を吸入した状態で熱交換器で加熱することにした。
【０００８】
また、請求項２に係る本考案では、湯沸かし装置において、水供給源に吸水管を接続するとともに、吸水管に熱交換器を装着して、水供給源から供給された水を沸騰させてお湯を供給する既存の湯沸かし器と、既存の湯沸かし器の熱交換器よりも上流側の吸水管に設けた混合器と、混合気に吸気管を介して接続した空気圧縮機とからなり、吸水管の内部の水に圧縮空気を吸入した状態で熱交換器で加熱するように構成することにした。
【考案の効果】
【０００９】
そして、本考案では、以下に記載する効果を奏する。
【００１０】
すなわち、本考案では、空気圧縮機に接続した吸気管を混合器を介して熱交換器よりも上流側の吸水管に接続して、吸水管の内部の水に圧縮空気を吸入した状態で熱交換器で加熱することにしているために、熱交換器で水を気泡を介して加熱することができるとともに、気泡自体も加熱することができるので、熱交換器における熱交換の効率を向上させることができ、大型の熱交換器を用いることなく、既存の熱交換器を用いて、より短時間でお湯を供給することができる。
【図面の簡単な説明】
【００１１】
【図１】本考案に係る湯沸かし装置を示す説明図。
【考案を実施するための形態】
【００１２】
以下に、本考案に係る湯沸かし装置の具体的な構成について図面を参照しながら説明する。
【００１３】
図１に示すように、湯沸かし装置１は、水供給源２となる水道管に吸水管３の基端部を接続するとともに、吸水管３の中途部に熱交換器４を装着して、水供給源２から供給された水を沸騰させて吸水管３の先端部からお湯を供給するように構成している。なお、水供給源２は、水を供給できればよく、水道管に限られず井戸等も利用できる。
【００１４】
また、湯沸かし装置１は、空気圧縮機５に吸気管６の基端部を接続し、吸気管６の中途部に逆止弁７を介設するとともに、吸気管６の先端部に混合器８を接続している。
【００１５】
この混合器８は、吸水管３の熱交換器４よりも上流側（水供給源側）に介設している。
【００１６】
ここで、逆止弁７は、吸水管３を流れる水が吸気管６から空気圧縮機５に逆流しないようにするものである。
【００１７】
また、混合器８は、吸水管３の内部を流れる水に空気圧縮機５で圧縮した空気を気泡状に混合させるものである。
【００１８】
そして、湯沸かし装置１は、空気圧縮機５を駆動することで、空気を圧縮し、その圧縮空気を混合器８で吸水管６の内部の水に吸入させている。なお、空気は吸水管３の内部を流れる水よりも高圧な状態としている。
【００１９】
すると、湯沸かし装置１では、熱交換器４において吸水管３の内部の水に圧縮空気が気泡状に混入した状態で加熱が行われる。
【００２０】
このように、吸水管３の内部の水に圧縮空気を吸入した状態で熱交換器４で加熱すると、吸水管３の内部の水が熱交換器４で気泡を介して加熱されることになり、しかも、気泡自体も熱交換器４で加熱される。
【００２１】
そのため、従来のように吸水管３の内部を流れる水だけを熱交換器４で加熱する場合に比べて、熱交換器４における熱交換の効率を向上させることができ、大型の熱交換器を用いることなく、既存の熱交換器を用いて、より短時間でお湯を供給することができる。
【００２２】
本考案に係る湯沸かし装置１は、水供給源２に吸水管３を接続するとともに、吸水管３に熱交換器４を装着して、水供給源２から供給された水を沸騰させてお湯を供給するように構成すればよく、既存の湯沸かし器を利用することもでき、既存の湯沸かし器に接続された吸水管に混合器を介して空気圧縮機を接続してもよい、
【符号の説明】
【００２３】
１  湯沸かし装置
２  水供給源
３  吸水管
４  熱交換器
５  空気圧縮機
６  吸気管
７  逆止弁
８  混合器
【図１】
0003165588.tif 000003
(57)【要約】      （修正有）【課題】スーツ、ジャケットなどの胸ポケットに容易に挿入でき、美しく胸元を装飾できる。また異なる種類のチーフから装いに合わせたチーフを選択できるポケットチーフを提供する。【解決手段】装飾的に整形された異なる４種類のチーフを、リバーシブルになっているポケットティッシュカバー１の両端にチーフ２，３を、ポケットティッシュカバー内側の両端にチーフ２ａ，３ａを縫合して取り付けたもので、ティッシュカバーにポケットティッシュを入れることで、本体部分であるティッシュカバーが安定し挿入が容易になると共に、チーフを美しく整形する手間なく、胸元を装飾できる。また、リバーシブルになっている為、異なる種類のチーフからの選択ができることを特徴とする、ポケットティッシュカバーを兼ねたポケットチーフである。【選択図】図１
0003165998.tif 000002
【実用新案登録請求の範囲】
【請求項１】
装飾的に整形された異なる４種類のチーフを、ポケットティッシュカバーとして適した大きさであると共に、スーツ、ジャケット等の胸ポケットに挿入しうる大きさでもある、リバーシブルになっているティッシュカバー（１）の両端にチーフ（２）（３）を、ティッシュカバー（１ａ）の両端にチーフ（２ａ）（３ａ）を取り付けてなることを特徴とするポケットティッシュカバーを兼ねたポケットチーフである。
【考案の詳細な説明】
【技術分野】
【０００１】本考案は、ポケットティッシュカバーの役割に加えて、スーツ、ジャケット等の胸ポケットに挿入して装飾するためのチーフとして用いることができる、ポケットティッシュカバーを兼ねたポケットチーフに関するものである。
【背景技術】
【０００２】従来は、スーツ、ジャケットなどの胸ポケットに、正方形状のチーフを美しい形状に折り畳んで手で押し込んで装飾していた。
【考案の概要】
【考案が解決しようとする課題】
【０００３】スーツやジャケットなどの胸ポケットにチーフを入れる際、美しい形状に整える事は容易でない。【０００４】美しい形状に整えたとしても、胸ポケットに挿入する際、チーフの腰が弱い為、挿入途中で型崩れをおこし、チーフがよれて胸ポケットに美しく押し込むのが困難だった。【０００５】また、全体のカラーコーディネートを考え、数種類の色柄の異なるチーフを揃える必要があった。【０００６】本考案は、以上のような課題を解決するため、スーツ、ジャケットなどの胸ポケットに容易に挿入でき、美しく胸元を装飾できる。また異なる種類のチーフから装いに合わせたチーフを選択できるポケットチーフの提供を目的としている。
【課題を解決するための手段】
【０００７】本考案は、ポケットティッシュカバーとして適した大きさであると共に、スーツ、ジャケット等の胸ポケットに挿入しうる大きさでもある、リバーシブルになっているティッシュカバーの両端に、装飾的に整形された異なる種類のチーフを縫合してなる。すなわちティッシュカバー（１）の面にチーフ（２）（３）を、ティッシュカバー（１ａ）の面にチーフ（２ａ）（３ａ）を縫合してなることを特徴とするものである。
【考案の効果】
【０００８】ポケットティッシュカバーの両端に取り付けた美しい形状に整形された異なる種類のチーフから好きなチーフを選び、このチーフを上にして胸ポケットに挿入する。ティッシュカバーが中央部にあることでポケットティッシュを入れると厚みが増し中央部で芯のはたらきをする。このしっかりとしたティッシュカバー（１）の存在で、これまで困難だった挿入が大変容易なものとなる。また、挿入するだけで美しく整形されたチーフが胸元を美しく飾ることが可能となる。さらに、ティッシュカバー部分がリバーシブルになっているので、ティッシュカバー（１）の面でチーフ（２）（３）、裏返してティッシュカバー（１ａ）の面でチーフ（２ａ）（３ａ）の計４種類の異なるチーフからの選択ができる。これにより、その日のコーディネートに合わせてのチーフの選択が可能となる。本来のポケットティッシュカバーとしての役割も果たす。
【図面の簡単な説明】
【０００９】
【図１】本考案のチーフ付きティッシュカバーの表からの表面図
【図２】本考案のチーフ付きティッシュカバーの裏からの表面図
【図３】同実施例のリバーシブルの状態を示す図
【図４】同実施例のリバーシブルの状態を示す図
【実施例】
【００１０】以下、本考案の実施例を図面に基づき詳細に説明する。【００１１】図１は、本考案のチーフ付きポケットティッシュカバーの表からの表面図を示している。ティッシュカバー（１）は、ポケットティッシュカバーとしても、スーツ等の胸ポケットへの挿入にも適した大きさで、裏表異なる色柄の布地による、リバーシブルとなっている。【００１２】図１のチーフ（２）（２ａ）（３）（３ａ）は、すべて異なる色柄の布地からなり、チーフ（２）と（３）は、かちっとしたイメージの形状、チーフ（２ａ）と（３ａ）は、ソフトなイメージの形状で飾飾的に美しく整形した状態で、チーフ（２）と（２ａ）、チーフ（３）と（３ａ）は縫合されている。これらの縫合されたチーフを上記ティッシュカバー（１）の両端にそれぞれ縫合することで固定し本考案のポケットチーフ付きポケットティッシュカバーとなる。【００１３】図２は、上記実施例のチーフ付きティッシュカバーを裏側から見た状態を示している。コーディネートにあったチーフを４種類の中から選択し、ティッシュカバーにポケットティッシュを入れることで、ティッシュカバー部分が安定し挿入が容易になる。チーフを上にしてチーフが胸ポケットから出るように図２に示した裏向きで挿入する。【００１４】図３、図４は、ポケットティッシュカバー部分を裏返す実施例を示している。本考案のチーフ付きティッシュカバーは、リバーシブルになっている。図３のようにティッシュカバー（１）が表になっている状態でポケットティッシュカバー中央のティッシュ出し入れ口から裏返すと、図４のようにティッシュカバー（１ａ）が表の状態となり、異なる色柄のティッシュカバー（１ａ）と異なる色柄、異なる形状のチーフ（２ａ）と（３ａ）が現れる。このことにより計４種類からのチーフの選択が可能となり、スーツ、ジャケット、シャツ、ネクタイなどに合わせたコーディネートが可能となる。
【符号の説明】
【００１５】１        ポケットティッシュカバー
２、３    チーフ
【図１】
0003165998.tif 000003
【図２】
0003165998.tif 000004
【図３】
0003165998.tif 000005
【図４】
0003165998.tif 000006
【手続補正書】
【提出日】平成22年11月18日(2010.11.18)
【手続補正１】
【補正対象書類名】実用新案登録請求の範囲
【補正対象項目名】全文
【補正方法】変更
【補正の内容】
【実用新案登録請求の範囲】
【請求項１】
上着の胸ポケットに差し込む大きさに形成した長方形のポケットティッシュカバーの両短辺に装飾的に形成したポケットチーフを縫着してなることを特徴としたチーフ付きポケットティッシュカバー。
【請求項２】
前記ポケットティッシュカバーは、リバーシブルに形成されティッシュ挿入口から内側を外にひっぱり出すと内側が表面となり、前記ポケットティッシュカバーの内側の両短辺にも異なるポケットチーフを縫着したことを特徴とする請求項１記載のチーフ付きポケットティッシュカバー。
(57)【要約】      （修正有）【課題】長方形のポリエステルネットにひもをつけることで布製生理用品の洗濯を容易にした浸け置き容器用洗濯ネットを提供する。【解決手段】ふんどし形の細長いひも付きネットであって、このネットを浸け置き容器にかぶせ、浸け置き容器の大きさや容器内の水量に応じて、ネットの中央部だけが水に沈むように、ネットの端に接続した紐で容器に固定する。さらに、経血を含んだ布ナプキンを容器内の水に浸ったネットの中央部に置くことにより、布ナプキンはネットの位置より低く沈まず、経血は水より比重が重いために、ネットを通して容器底部に沈殿する。濃い経血の水の層に布ナプキンが沈まずに容器内の上部にとどめて浸け置くことが可能で、浸け置き後に、水をかき回さずに取り出すことにより経血との分離、予洗いのすすぎや洗濯が容易になる。【選択図】図２
0003165996.tif 000002
【実用新案登録請求の範囲】
【請求項１】
布製生理用品の浸け置きにあたり、水と経血の比重の違いを利用し生理用品と経血を分離するための浸け置き容器内の段階構造
【請求項２】
布製生理用品の容器の形状や水位の増減に対応が可能な、ふんどし形の洗濯ネットの形状
【考案の詳細な説明】
【技術分野】
【０００１】浸け置き、予洗いが必要な布製生理用品の浸け置きに用いる
【背景技術】
【０００２】従来の布製生理用品（布ナプキン）の洗濯は使用後の経血が乾いて固まる前に浸け置き容器に水を入れて浸しておくのが一般的である。
【先行技術文献】
【特許文献】
【０００３】特開２００８−０５５１２４
【非特許文献】
【０００４】ユーゴ（ｔｏｕｔａ．）著  「布ナプキン  こころ、からだ、軽くなる」  産経新聞出版  ２０１０年
【考案の概要】
【考案が解決しようとする課題】
【０００５】布製生理用品を浸け置き容器のバケツ、たらい等に浸す時、経血の比重が水より重く底部に沈み、経血が沈殿した底部に布製生理用品が浸るため、数回のすすぎが必要で、臭いが布に染み付きやすく、抜けにくい。
これは、使用している人が皆、体験していて、当然のものとして行っておりにおいに関しては漂白剤や、高価な天然の芳香油（アロマオイル）での対応が一般的。また、使用以前に洗濯が負担になりそう、というイメージが先行するケースも多いと思われる。
【課題を解決するための手段】
【０００６】長方形のポリエステルネットにひもをつけたふんどし形状の洗濯ネットをハンモック状に浸け置き容器に装着することにより、経血のみがバケツ底部に沈む。布製生理用品は容器内水中の上部にとどまる。
【考案の効果】
【０００７】布製生理用品が経血に浸らないため、半日か一晩容器に浸け置いたものを絞ると、経血の色はこの段階でほとんどでず、すすぎが容易。水を多量に使わずに済む。臭いもつきにくい。洗剤もほとんど不要。洗濯前に乾きかけてしみになりかかった物だけを、この浸け置き後に分別して洗剤を使うことで洗剤の使用量も減量が可能。心理的負担感も軽減可能。使い捨て生理用品だけに頼らないことで、可燃ごみの減量につながる効果も期待できる。
【図面の簡単な説明】
【０００８】
【図１】ふんどし形状洗濯ネットの平面図である。
【図２】一般的バケツに図１を装着した斜面図である
【図３】洗濯ネットを浸け置きバケツに装着した状態の断面図である。
【図４】浸け置き容器の形状、水位の違いに対応する状態の図である。
【考案を実施するための形態】
【０００９】ふんどし形状のネットをバケツ、たらい等の浸け置き容器に装着した状態の断面を図３に示す。この状態で、経血がしみ込んで、乾いていない布製生理用品から水中に経血が流出する。（符号６）
【実施例】
【００１０】図４ふんどし形状であることで、容器の大きさサイズの違いにも対応する。（図４の符号４、ａバケツと４、ｂたらい）
【産業上の利用可能性】
【００１１】水溶性汚れの汚物洗濯で比重差利用可能な洗濯での使用水量の減量オムツ、飲食店のふきん等の多量の洗濯
【符号の説明】
【００１２】１、  浸け置き洗濯ネット本体
２、バケツへの固定と高さ調整のための紐
３、浸け置き水の水面
４、浸け置き容器の例    ａ、バケツ  ｂ、たらい
５、浸け置き生理用品
６、浸け置き容器底部に沈殿する経血
７、浸け置き洗濯ネット本体の下端
【図１】
0003165996.tif 000003
【図２】
0003165996.tif 000004
【図３】
0003165996.tif 000005
【図４】
0003165996.tif 000006
【手続補正書】
【提出日】平成22年11月11日(2010.11.11)
【手続補正１】
【補正対象書類名】実用新案登録請求の範囲
【補正対象項目名】全文
【補正方法】変更
【補正の内容】
【実用新案登録請求の範囲】
【請求項１】
ふんどし形の細長いひも付きネットであって、このネットを浸け置き容器にかぶせ、浸け置き容器の大きさや容器内の水量に応じて、ネットの中央部だけが水に沈むように、ネットの端に接続した紐で容器に固定し、経血を含んだ布ナプキンを容器内の水に浸ったネットの中央部に置くことにより、布ナプキンはネットの位置より低く沈まず、経血は水より比重が重いために、ネットを通して容器底部に沈殿し、濃い経血の水の層に布ナプキンが沈まずに容器内の上部にとどめて浸け置くことが可能で、浸け置き後に、水をかき回さずに取り出すことにより経血との分離、予洗いのすすぎや洗濯を容易にする、ふんどし型布ナプキン浸け置きネット
【請求項２】
請求項１に記載の、ふんどし形布ナプキン浸け置きネットを有する布ナプキン浸け置き容器
(57)【要約】      （修正有）【課題】低コストで電動装置部分を椅子から容易に脱着可能にした車椅子用電動装置を提供する。【解決手段】モーター８の回転力をプーリー６を介してシャフト７を回しシャフト７に密着させた車椅子本体の主輪（タイヤ）５を回転させる。電動装置部は車椅子本体のパイプ部分に手回しボルト等で固定する。操舵装置部はハンドル３から回転体４を介しキャスター１を操作する。プレート９により既存のキャスターが床から浮く状態で車椅子本体のパイプ部分に手回しボルト等で固定する。【選択図】図１
0003165991.tif 000002
【実用新案登録請求の範囲】
【請求項１】
車椅子の主輪の外周部（タイヤ部分）をプーリーを介した電動モーターによって駆動し、又、手動の操舵装置を設ける事により脱着可能で低コストであり、手動式車椅子を容易に電動化出来る事を特徴とする車椅子用電動装置
【考案の詳細な説明】
【技術分野】
【０００１】本考案は、電動モーターおよび操舵装置を設けた、車椅子用脱着式電動装置に関するものである。
【背景技術】
【０００２】従来、電動車椅子は、主輪の中心に電動モーターを設けて駆動し、操舵もモーターを使用し、ジョイスティック等で電気的に行うものであった。
【考案の概要】
【考案が解決しようとする課題】
【０００３】電動車椅子の主輪の中心に電動モーターを設けての駆動は構造が複雑であり製造コストも高く、電動装置を取り外して他の車椅子に取り付ける事は困難である。
電動装置を容易に取り外せない為に重くて運搬も困難である。
【課題を解決するための手段】
【０００４】本考案は、車椅子の主輪の外周部（タイヤ部分）をプーリーを介した電動モーターによって駆動し、又、手動の操舵装置を設ける事により課題を解決している。
【考案の効果】
【０００５】上述の様に、車椅子の主輪の外周部（タイヤ部分）をプーリーを介した電動モーターによって駆動し、又、手動の操舵装置を設ける事により製造コストも低く、装置を取り外して他の車椅子にも取り付ける事が出来、又、装置を容易に取り外せる為、車椅子の運搬も容易である。
【図面の簡単な説明】
【０００６】
【図１】本考案の車椅子用脱着式電動装置を設置した車椅子の射視図である。
【図２】本考案を設置した電動装置部分の上面図である。
【図３】本考案を設置した操舵装置部分の正面図である。
【図１】
0003165991.tif 000003
【図２】
0003165991.tif 000004
【図３】
0003165991.tif 000005
【手続補正書】
【提出日】平成22年11月12日(2010.11.12)
【手続補正１】
【補正対象書類名】実用新案登録請求の範囲
【補正対象項目名】全文
【補正方法】変更
【補正の内容】
【実用新案登録請求の範囲】
【請求項１】
電動装置部分は車椅子座席下に取り付けたプレート上に設置したモーター（８）の回転力をベルトを介してプーリー（６）に伝達し、プーリー（６）が回転する事によりシャフト先端のローラー（７）が回転しローラー（７）に押し付けた車椅子の主輪（５）の外周部のタイヤ部分とローラー（７）との摩擦力により主輪（５）を回転駆動させ車椅子を走行させる。操舵部分はハンドル（３）を手動で回転させる事により、ハンドルに直結したプーリー（４）を回転させプーリー（４）からベルトを介して自在キャスターに直結したプーリーを回転する事により操舵を行う。電動装置部分と操舵部分を車椅子のフレームにボルトにて固定する事により、容易に車椅子に脱着出来る事を特徴とする車椅子用電動装置。
(57)【要約】      （修正有）【課題】作業中の振動や出し入れの際ネジが回ってしまうという現象を防止するモンキースパナを提供する。【解決手段】ゴム製滑り止めグリップを調整ネジの部分の表面裏面ともにゴム製のカバーで覆い、ネジを回す時には簡単に指でめくれるようにしておく。これで、自分で回そうとしない限り、ほとんどネジは動かなくできる。【選択図】図１
0003165995.tif 000002
【実用新案登録請求の範囲】
【請求項１】
ゴム製滑り止めグリップを、調整ネジの部分まで覆うことで作業中の振動や出し入れの際、スパナの開きぐあいが変わってしまうという現象を防ぐ事を目的とするものである。
【考案の詳細な説明】
【技術分野】
【０００１】本考案は、市販されているモンキースパナ全般に関するものであり、スパナの調整ネジの部分をゴムなどで覆う事により、作業中の振動や出し入れの際ネジが回ってしまっっている。という現象を防止するものである。
【背景技術】
【０００２】従来モンキースパナとは、一本で多種多様なボルトナットに対応するために作られた便利な工具である。
【考案の開示】
【考案が解決しようとする課題】
【０００３】しかし、この製品はいつの間にかネジが振動や衣服等のこすれにより回ってしまいその都度開き具合を調整しなおさなければならないという作業効率の悪さを解決することを課題とする。
【課題を解決するための手段】
【０００４】そこで、ゴム製滑り止めグリップを調整ネジの部分表面裏面ともにゴム製（素材は限定しない）のカバーで覆ってしまう、これは、ネジを回す時には簡単に指でめくれるようにしておく。これで、自分で回そうとしない限り、ほとんどネジは動かなくできる。【０００５】また、この方法ならば、市販のモンキースパナ全般に利用可能なので、ローコストにて販売、製品化が可能である。
【考案を実施するための最良の形態】
【０００６】本考案に係る調整ネジ回転防止グリップ付きモンキースパナは市販されているモンキースパナに対し図のように調整ネジの部分までカバーグリップを伸ばしたものである。素材はゴム製の物が良いと思われるが自由とする。
【図面の簡単な説明】
【０００７】
0003165995.tif 000003
【図１】
0003165995.tif 000004
【図２】
0003165995.tif 000005
【図３】
0003165995.tif 000006
【図４】
0003165995.tif 000007
【手続補正書】
【提出日】平成22年11月17日(2010.11.17)
【手続補正１】
【補正対象書類名】実用新案登録請求の範囲
【補正対象項目名】全文
【補正方法】変更
【補正の内容】
【実用新案登録請求の範囲】
【請求項１】
ゴム製の滑り止めグリップで、モンキースパナの調整ネジの部分が覆われている事をとくちょうとする、調整ネジ回転防グリップ付モンキースパナ。
【手続補正２】
【補正対象書類名】明細書
【補正対象項目名】０００７
【補正方法】変更
【補正の内容】
【０００７】
【図１】は表面図。
【図２】は表面図で、調整ネジの部分を覆ったカバーをめくって見せた時の状態。
【図３】は裏面図。
【図４】は裏面図で、調整ネジの部分を覆ったカバーをめくって見せた時の状態。
(57)【要約】      （修正有）【課題】脚の高さを容易に変更可能なキャビネットを提供する。【解決手段】キャビネットのサイドパネルと同サイズ、或いはサイドパネルより狭い幅で、高さはキャビネットのサイドパネルの４分の１以上、２分の３以下のサイズのパネルを高さ変更脚パネルとし、高さ変更脚パネルの前後に垂直方向等間隔に複数個の取り付け用の孔を設け、同様にキャビネットのサイドパネルの前後にも垂直方向に等間隔複数個の取り付け用の孔を設け、サイドパネルの外側に高さ変更パネルを接合させ、高さ変更脚パネルの孔とサイドパネルの孔を希望高さでボルトとナット等のジョイント金具で固定することにより左右の脚高さを変更可能とする。【選択図】図１
0003165999.tif 000002
【実用新案登録請求の範囲】
【請求項１】
（１）キャビネットのサイドパネルと同サイズ、或いはサイドパネルより狭い幅で、高さはサイドパネルの４分の１以上、２分の３以下のサイズのパネルを高さ変更脚パネルとし、（２）高さ変更脚パネルの前後に垂直方向等間隔に複数個の取り付け用の孔を設け、（３）同様にシューズキャビネットのサイドパネル前後にも垂直方向に等間隔複数個の取り付け用の孔を設け、（４）サイドパネルの外側に高さ変更脚パネルを密着させ、（５）高さ変更脚パネルの孔とサイドパネルの孔を希望高さでボルトとナット等のジョイント金具により固定することにより脚の高さ変更可能となるキャビネット。
【考案の詳細な説明】
【技術分野】
【０００１】  本考案は脚の高さ変更可能なキャビネットに関するものである。
【背景技術】
【０００２】  従来の多くのキャビネットは脚の高さ変更ができない構造が一般的である。
【非特許文献１】  株式会社スクロール「インテリアをさがすときに見る本０９冬」２０１０年  Ｐ４１〜６８
【０００３】
【考案の概要】
【考案が解決しようとする課題】
【０００４】  従来の多くのキャビネットは脚の高さ変更ができず、変更する場合は、別注脚、或いは別注パネルを作成する必要があり簡単に高さを変更することが困難な点を解決することを課題とする。
【課題を解決するための手段】
【０００５】  （１）キャビネットのサイドパネルと同サイズ、或いはサイドパネルより狭い幅で、高さはサイドパネルの４分の１以上、２分の３以下のサイズのパネルを高さ変更脚パネルとし、（２）高さ変更脚パネルの前後に垂直方向等間隔に複数個の取り付け用の孔を設け、（３）キャビネットのサイドパネルの前後にも垂直方向に等間隔、複数個の孔を設け、（４）サイドパネルの外側に高さ変更パネルを密着させ、（５）高さ変更脚パネルの孔とサイドパネルの孔を希望高さでボルトとナット等のジョイント金具で固定することにより左右の脚高さの変更可能となるキャビネットを提供することにより課題を解決しようとするものである。
【考案の効果】
【０００６】  上述のようにキャビネット本体両側に取り付けられた高さ変更パネルをボルトナット等のジョイント金具で希望位置に固定する事により高さ設定が別注脚の作成無しで、簡単な作業で可能となる。
【図面の簡単な説明】
【０００７】
【図１】高さ変更脚パネル付属のローキャビネット斜視図。
【図２】高さ変更脚パネル付属のミドルキャビネット斜視図。
【図３】高さ変更脚枠付属の玄関キャビネット斜視図。
【考案を実施するための形態】
【０００８】  高さ変更脚パネル、及びサイドパネルの前後に垂直方向等間隔に複数個の取り付け用の孔を設け、サイドパネルの外側に高さ変更脚パネルを密着させ、高さ変更脚パネルの孔とサイドパネルの孔を希望高さジョイント金具で固定することにより脚の高さ変更可能となるキャビネットを本考案実施のための最良の形態以下図１〜図３を参照して説明する。
【実施例】
【０００９】  以下、添付図面に従って実施例を説明する。図１はローキャビネットのサイドパネル２と同サイズ、或いはサイドパネルより狭い幅で、高さはサイドパネルの３分の１以上、２分の３以下のサイズのパネルを高さ変更脚パネル１とし、高さ変更脚パネル、及びサイドパネルの前後に垂直方向等間隔に複数個の取り付け用の孔を設け、ローキャビネット本体の左右側板２に高さ変更脚パネル１をボルトナット等の金具４で固定し、左右同じ高さに設定した、平置きの状態を説明する斜視図である。これによりテレビを載置した場合、テレビを観る最適の高さに設定可能となる。以下キャビネットの形状、サイズは図示に限定するものではなく、扉、引出し等の有無も同様に限定しない。尚、高さ調整パネルには枠形状、或いは梯子形状、Ｔ型、Ｉ型等、異形状パネルも本請求項に含まれる。【００１０】  図２はミドルキャビネットの左右サイドパネル２に高さ変更脚パネル１をボルトナット等の金具４で取り付け固定した状態の斜視図である。追加棚パネル７をプラスし、高さ変更脚パネル１のジョイント孔３を利用し追加棚パネル７を固定することにより収納量増加も安易に可能となる。高さ変更パネルカバー８を付属した場合、高さ変更パネル１とサイドパネル２が正面より見た場合２重になる外観をパネル８がカバーしスッキリとしたデザイン処理も可能となる参考例図である。【００１１】  図３は玄関キャビネットの右側を玄関の上がりカマチ９に載せ、もう一方は土間に設置し左側の枠形状高さ変更脚パネル５のみを使用し設置した状態を説明する参考斜視図である。上がりカマチ９への設置を図と逆方向のキャビネットの左側にする場合も右にある枠形状高さ変更脚パネル５を使用し別注脚等を作成することなく簡単に設置可能である。或いは、両側の枠形状高さ変更脚パネル５を使用しシューズキャビネットの下、上がりカマチの上に収納スペースを確保することも可能である。キャビネット前後、左右の高さの微調整は高さ変更枠５下部のアジャスター６の付属により可能とする場合もある。
【符号の説明】
【００１２】１  高さ変更脚パネル
２  キャビネットサイドパネル
３  ジョイント孔
４  ジョイント金具
５  枠形状高さ変更脚パネル
６  アジャスター
７  追加棚パネル
８  高さ変更パネルカバー
９  上がりカマチ
【図１】
0003165999.tif 000003
【図２】
0003165999.tif 000004
【図３】
0003165999.tif 000005
【手続補正書】
【提出日】平成22年11月19日(2010.11.19)
【手続補正１】
【補正対象書類名】実用新案登録請求の範囲
【補正対象項目名】全文
【補正方法】変更
【補正の内容】
【実用新案登録請求の範囲】
【請求項１】
（１）キャビネットのサイドパネルと同サイズ、或いはサイドパネルより狭い幅で、高さはサイドパネルの４分の１以上、２分の３以下のサイズのパネルを高さ変更脚パネルとし、（２）高さ変更脚パネルの前後に垂直方向等間隔に複数個の取り付け用の孔を設け、（３）同様にキャビネットのサイドパネル前後にも垂直方向に等間隔複数個の取り付け用の孔を設け、（４）サイドパネルの外側に高さ変更脚パネルを密着させ、（５）高さ変更脚パネルの孔とサイドパネルの孔を希望高さでボルトとナット等のジョイント金具により固定することにより脚の高さ変更可能となるキャビネット。
(57)【要約】      （修正有）【課題】服装を選ばず、活動を妨げず、しかも紫外線から肌を守り、腕のしみ、たるみ、しわをカバーするアームカバーを提供する。【解決手段】筒状で、ナイロン製ストッキング素材で作られる。【選択図】図１
0003165985.tif 000002
【実用新案登録請求の範囲】
【請求項１】
ナイロンストッキングの多機能加工を用いて腕用に製作する事により腕の運動機能を損ねることもなく老人はもとより、必要とする人はＴＰＯに気がねすることなくファッションを享受することができるために考案したナイロン製アームカバー
【考案の詳細な説明】
【施術の分野】
【０００１】本考案は従来のナイロンスットッキングの素材でＵＶケアー加工とサポート加工等したロング手袋様のアームカバーに関するもの。
【背景技術】
【０００２】従来のアームカバーは布地で作製されている。
【考案の概要】
【考案が解決しようとする課題】
【０００３】従来のアームカバーは布地で製作されているため着用している衣服と別物の独立性のものである。
老人の肌の欠点をカバーする。
老人でも半袖やノースリーブをきれいに着ることができる。
腕の動きがスムーズで自由にできる。
肌の色とほとんど同じためどんな服装にも対応出来る。
肌に密着しているために保温効果もえられる。
夏用の吸汗性や涼感加工により着用したときここち良く使用することが出来る。
【課題を解決するための手段】
【０００４】      本考案はウーリータイプナイロンストッキングの素材と形状により、薄くてかさばらず、安価で、ナイロンストッキングの吸汗加工、静電防止加工、サポートタイプ加工、ＵＶカット加工等、従来のストッキングの持つ良さをそのままに腕用とすることにより使用者の満足感を十分満たすことが出来る。
【考案の効果】
【０００５】      加齢とともに老人は腕にしみやたるみしわなどが出来、そのため若いころのような腕を出した服装がためらいがちになる。たとえ腕を出した服装をしても紫外線をうけ皮膚がんの心配がある。従来のアームカバーはカバーとしてのみ使用するためドレスアップした時や、日常どんな時でも身につけておくわけにはいかない。
ナイロン製の従来のストッキングをアームカバー様に加工する事により着用した場合、健康面、運動面、美的面の効果が得られる。
【図面の簡単な説明】
【０００６】
【図１】本考案のナイロン製アームカバーの実施例を示す正面図である。
【図２】手首までのアームカバーの実例である。
【図３】二本指型。手の甲までカバーし、親指と人差し指の間に縫い目を入れる。
【図４】五本指型。手の甲までカバーし、五本の指の間に縫い目を入れる。
【考案を実施するための形態】
【０００７】手首までの形態のもの。
親指と４本の指を１つに分け手の甲までの長さに仕上げたもの。
５本の指を出し手の甲までの長さに仕上げたもの。
【実施例】
【００８】      以下添付図面に従って実施例を説明する。従来の手袋を装着すると同じように腕先から手を入れて使用するものである。
【符号の説明】
【００９】１    腕用アームカバー本体
２    手首口
３    上腕口
４    ミット形の縫い目線
５    ５本指用の縫い目の線
【図１】
0003165985.tif 000003
【図２】
0003165985.tif 000004
【図３】
0003165985.tif 000005
【図４】
0003165985.tif 000006
【手続補正書】
【提出日】平成22年7月29日(2010.7.29)
【手続補正１】
【補正対象書類名】実用新案登録請求の範囲
【補正対象項目名】請求項１
【補正方法】変更
【補正の内容】
▲１▼上部は幅３ｃｍで伸縮性があり、直径９ｃｍ（サイズはＳ、Ｍ、Ｌで選択できるようにする。）で腕からのずり落ちを防止する構造。
▲２▼上腕部から手首までの部分・・・ナイロン製ストッキングの形状で、腕の太さ、細さは、Ｓ、Ｍ、Ｌのサイズにする。
▲３▼手首までの形状の場合は、幅２ｃｍ、直径８ｃｍ（Ｍサイズの場合）で、上腕部より小さめの寸法にする。
▲４▼五本指の構造の場合・・・直径１４ｃｍ、幅２ｃｍの伸縮性の素材で、親指の幅は直径５ｃｍにして９ｃｍを三か所同じ幅で縫い止めする。幅が薄いとめくれたりして安定感がなくなるので、ある程度の伸縮性厚手で製作したほうがよい。親指の５ｃｍは広めにすることにより動きをスムーズにすることができる。
▲５▼４本指と親指だけの構造の場合・・・開口部は伸縮性ナイロン素材で、幅２ｃｍ。直径１２ｃｍ。（この場合もサイズをＳ、Ｍ、Ｌの選択肢を作るとよい。）親指側が５ｃｍのところに縫い目を入れる。
【手続補正書】
【提出日】平成22年9月30日(2010.9.30)
【手続補正１】
【補正対象書類名】実用新案登録請求の範囲
【補正対象項目名】請求項１
【補正方法】変更
【補正の内容】
【請求項１】
ナイロン製ストッキング素材で作られた筒状のアームカバー。
(57)【要約】      （修正有）【課題】水道管に対する凍結防止工事などの費用を低減することができるヒーターを提供する。【解決手段】内部に電熱線２を有する帯形状であり、電熱線２を電源に接続するための電源コード４をヒーター１ａの長さ方向の中間部から引き出されている。【選択図】図１
0003165983.tif 000002
【実用新案登録請求の範囲】
【請求項１】
内部に電熱線を有する帯形状のヒーターにおいて、前記電熱線を電源に接続するための電源コードが、長さ方向の中間部から引き出されてなることを特徴とするヒーター。
【考案の詳細な説明】
【技術分野】
【０００１】  本考案は電熱線を内蔵し、帯状の形状を有するヒーターに関し、特に水道管などの管状部材の周囲に巻き付けて、当該管状部材の保温に用いるヒーターに関するものである。
【背景技術】
【０００２】  寒冷地においては、冬季になると雪や低温のために、様々な形で生活の障害が生じる。中でも低温による水道管の凍結や破裂は、生活に必要不可欠な水が確保できない事態に繋がるので、深刻である。【０００３】  これに対処する手段として、特許文献１には、水道管の外周に配置した電気ヒーターの電流制御することで、水道管の凍結を防止する方法が開示されている。また特許文献２には、外気温によりヒーターの動作を制御することにより、水道管の凍結を防止する方法が開示されている。【０００４】  前記特許文献に開示されている水道管の凍結防止方法においては、水道管に巻き付けられた帯形状のヒーターを保温に用いることが多い。図２は、このような目的に用いられる従来のヒーター１ｂの概略図で、電熱線２を内蔵し、長さ方向のいずれか一端に電源取り出し口３ｂが設けられ、電源コード４が取り付けられている。【０００５】  図４は、従来のヒーター１ｂを水道管に巻き付けた状態を模式的に示す図である。この図は、屋外の地面９から水道管８を立ち上げ、家屋の壁７を貫通して蛇口６が設けられているという、一般的な設置状態を示しているが、ヒーターの電源は屋外に設置してあることと、取り回しの都合で、屋内の電源にヒーターを接続することは少ないので、電源取り出し口３ｂがヒーターの端部に設けられていると、図４に示したように、折り返し点１０を設けて、壁７の内部ではヒーター１ｂを二重に巻き付ける必要がある。
【先行技術文献】
【特許文献】
【０００６】
【特許文献１】  特開平１０−０１８３６７号公報
【特許文献２】  特開平１０−１０６７２０号公報
【考案の概要】
【考案が解決しようとする課題】
【０００７】  つまり、従来のヒーターを用いた場合では、このような工法を用いざるを得ず、ヒーターに無駄が生じるばかりでなく、施工の工数も増加することになる。従って本考案の課題は、ヒーターの無駄解消や余計な工数の削減により、水道管に対する凍結防止工事などの費用を低減することにある。
【課題を解決するための手段】
【０００８】  本考案は、前記課題の解決のため、ヒーターの構造、特に電源取り出し口の位置を検討した結果なされたものである。【０００９】  即ち、本考案は、内部に電熱線を有する帯形状のヒーターにおいて、前記電熱線を電源に接続するための電源コードが、長さ方向の中間部から引き出されてなることを特徴とするヒーターである。
【考案の効果】
【００１０】  本考案によるヒーターは、前記のように長さ方向の途中に電源取り出し口が設けられているため、図４に示したように、水道管に巻き付けた際に、折り返し点を設ける必要がなくなるので、ヒーターの長さや、施工の工数を削減することができる。
【図面の簡単な説明】
【００１１】
【図１】  従来のヒーターの概略図
【図２】  本考案に係るヒーターの一例の概略図
【図３】  本考案に係るヒーターを水道管に巻き付けた状態を模式的に示す図
【図４】  従来のヒーターを水道管に巻き付けた状態を模式的に示す図
【考案を実施するための形態】
【００１２】  次に本考案の実施の形態を具体的な図に基づいて説明する。
【００１３】  図１は、本考案に係るヒーターの一例を示す概略図である。図１に示したように、本考案のヒーター１ａは、電源コード４が、ヒーター１ａの長さ方向の中間部に設けられた電源取り出し口３ａから引き出されている。
【００１４】  図３は、従来のヒーター１ａを水道管８に巻き付けた状態を模式的に示す図である。図３に示したように、本考案のヒーター１ａを用いた場合では、電源取り出し口３ａがヒーター１ａの長さ方向の中間部に設けられているため、図４に示した折り返し点１０を設ける必要がない。
【００１５】  以上に説明したように、本考案によれば、水道管の保温工事などのコストを低減することが可能となる。なお、本考案は、前記実施の形態に限定されるものではなく、本考案の分野における通常の知識を有する者であれば想到し得る、各種変形、修正を含む要旨を逸脱しない範囲の設計変更があっても、本考案に含まれることは勿論である。
【符号の説明】
【００１６】  １ａ，１ｂ  ヒーター
２          電熱線
３ａ，３ｂ  電源取り出し口
４          電源コード
５          電源プラグ
６          蛇口
７          壁
８          水道管
９          蛇口
１０          折り返し点
【図１】
0003165983.tif 000003
【図２】
0003165983.tif 000004
【図３】
0003165983.tif 000005
【図４】
0003165983.tif 000006
【手続補正書】
【提出日】平成22年3月30日(2010.3.30)
【手続補正１】
【補正対象書類名】明細書
【補正対象項目名】００１１
【補正方法】変更
【補正の内容】
【００１１】
【図１】  本考案に係るヒーターの一例の概略図
【図２】  従来のヒーターの概略
【図３】  本考案に係るヒーターを水道管に巻き付けた状態を模式的に示す図
【図４】  従来のヒーターを水道管に巻き付けた状態を模式的に示す図
【手続補正書】
【提出日】平成22年7月28日(2010.7.28)
【手続補正１】
【補正対象書類名】実用新案登録請求の範囲
【補正対象項目名】全文
【補正方法】変更
【補正の内容】
【実用新案登録請求の範囲】
【請求項１】
内部に電熱線を有する帯形状のヒーターにおいて、前記電熱線を電源に接続するための電源コードが、前記ヒーターの長さ方向の中間部から引き出されてなることを特徴とするヒーター。
(57)【要約】      （修正有）【課題】お客さまに納入する車やＴＶやパソコンや携帯電話の選択ができるカラーの四角い枠が羅列してあるオーダー注文用のパンフレットカタログ冊子を提供する。【解決手段】車や携帯電話の販売店において、オーダーメード用のカラーパンフレットを見て、カラー（色）の注文を選び、自分の好みの色のチョイスをして、その色での車や携帯電話を注文して、そのチョイスした自動車や携帯電話やパソコンをメーカーが製造してユーザーに手渡す。【選択図】図１
0003165990.tif 000002
【実用新案登録請求の範囲】
【請求項１】
［０００１］車や携帯電話店においてカラーパンフレット一覧によってオーダーメードしたカラーによって車の色や携帯電話の色をつくる実用新案。図は斜視図である。カラーのパンフレットを見て、カラー（色）の注文を選び、自分の好みの色のチョイスをして、その色での車や携帯電話を注文して、そのチョイスした自動車や携帯電話やパソコンをメーカーが製造してユーザーに手渡す手段考案。
【考案の詳細な説明】
【技術分野】
【０００１】本考案は、車や携帯電話の色をオーダーメードする考案である。
カラーのパンフレットを見てカラーの注文を選び、自分の好みの色をチョイスして、その色での自動車、携帯、パソコンなどを製造する手段考案。
【背景技術】
【０００２】従来の車や携帯の色をオーダーメードする考案である。
カラーのパンフレットを見てカラーの注文を選び、自分の好みの色をチョイスして、その色での自動車、携帯、パソコンなどを製造する手段考案。
【考案が解決しようとしている課題】
【０００３】従来の車や携帯の色をオーダーメードする考案である。
カラーのパンフレットを見てカラーの注文を選び、自分の好みの色をチョイスして、その色での自動車、携帯、パソコンなどを製造する手段考案。
ことにより課題を解決する。
【悩みを解決する手段】
【０００４】車や携帯電話の色のオーダーメードの手段を用いる考案である。
カラーのパンフレットを見てカラーの注文を選び、自分の好みの色をチョイスして、その色での自動車、携帯、パソコンなどを製造する手段考案。
【考案の効果】
【０００５】車や携帯電話の色のオーダーメードの効果を得る考案である。
カラーのパンフレットを見てカラーの注文を選び、自分の好みの色をチョイスして、その色での自動車、携帯、パソコンなどを製造する手段考案。
【考案を実施するための最良の形態】
【０００６】同上の形態
【実施例】
【０００７】（１）は、車
（２）は、カタログ
（３）は、携帯電話
【図面の簡単な説明】
【０００８】
【図１】
【符号の説明】
【０００９】（１）は、車
（２）は、カタログ
（３）は、携帯電話
【図１】
0003165990.tif 000003
【手続補正書】
【提出日】平成22年11月4日(2010.11.4)
【手続補正１】
【補正対象書類名】実用新案登録請求の範囲
【補正対象項目名】全文
【補正方法】変更
【補正の内容】
【実用新案登録請求の範囲】
【請求項１】
お客さまに納入する車やＴＶやパソコンや携帯電話の選択できるカラーの四角いワクがられつしてあるオーダー注文用のパンフレットカタログ冊子。
【手続補正２】
【補正対象書類名】明細書
【補正対象項目名】全文
【補正方法】変更
【補正の内容】
【考案の詳細な説明】
【技術分野】
【０００１】お客さまに納入する車やＴＶやパソコンや携帯電話の選択できるカラーの四角いワクがられつしてあるオーダー注文用のパンフレット・カタログ冊子
【背景技術】
【０００２】お客さまに納入する車やＴＶやパソコンや携帯電話の選択できるカラーの四角いワクがられつしてあるオーダー注文用のパンフレット・カタログ冊子
【考案が解決しようとしている課題】
【０００３】お客さまに納入する車やＴＶやパソコンや携帯電話の選択できるカラーの四角いワクがられつしてあるオーダー注文用のパンフレット・カタログ冊子
【悩みを解決する手段】
【０００４】お客さまに納入する車やＴＶやパソコンや携帯電話の選択できるカラーの四角いワクがられつしてあるオーダー注文用のパンフレット・カタログ冊子
【考案の効果】
【０００５】お客さまに納入する車やＴＶやパソコンや携帯電話の選択できるカラーの四角いワクがられつしてあるオーダー注文用のパンフレット・カタログ冊子
【考案を実施するための最良の形態】
【０００６】お客さまに納入する車やＴＶやパソコンや携帯電話の選択できるカラーの四角いワクがられつしてあるオーダー注文用のパンフレット・カタログ冊子
【実施例】
【０００７】（１）は、車
（２）は、カタログ
（３）は、携帯電話
（４）はパソコンやＴＶ。
【図面の簡単な説明】
【０００８】
【図１】
【符号の説明】
【０００９】（１）は、車
（２）は、カタログ
（３）は、携帯電話
（４）は、パソコンやＴＶ
【手続補正３】
【補正対象書類名】図面
【補正対象項目名】全図
【補正方法】変更
【補正の内容】
【図１】
0003165990.tif 000004
【手続補正書】
【提出日】平成22年12月17日(2010.12.17)
【手続補正１】
【補正対象書類名】明細書
【補正対象項目名】０００８
【補正方法】変更
【補正の内容】
【０００８】
【図１】カラーオーダメイドカタログ冊子図